(57)【要約】      （修正有）【課題】歯科医療技術向上の為、基本となる寸法変化の無い口腔内模型を制作可能とする事により、セット時から口腔内で痛みの出ない義歯製作や調整の必要が無いクラウンブリッジ等を製作可能とする事が目的である。その為に、より自然な粘膜面の状態を印象可能すると共に、印象材硬化過程における複雑な変形要因を可能な限り排除する構造を持った印象用トレーを提供する。【解決手段】口腔内における印象彩得時の変形は、トレー内が継続的に何らかの加圧状態に有る事が原因であるので、本発明は印象用トレーに余分な印象材の排出用の穴２と、手動の開閉機構を設けることにより、印象採得時に内部圧力の高まった印象材を、適切なタイミングで早期にトレーの外へ排出し無圧化、又は、減圧出来る様にした。また、そのトレーを用いる事により、最も適切な無圧印象法を可能とすることが出来た。【選択図】図１
2012075775.tif 000002
【特許請求の範囲】
【請求項１】
スライド式、又は、着脱式の蓋による開閉機構により、余分な印象材を適切なタイミングで速やかに内圧を無くす、又は、減らすことを可能とする印象材排出用の穴を開けた構造を有した歯科用印象トレー。
【請求項２】
本発明のトレーを使用した無圧印象法。
【発明の詳細な説明】
【技術分野】
【０００１】
本発明は、歯科治療で必要な患者の口腔内の印象彩得を行う為に使用する印象用トレーと、その使用法に関する物であり、より正確で自然な状態の口腔内印象を採得可能としたものである。
【背景技術】
【０００２】
印象用トレーは、極一般的に歯科医院等で歯形を採る為に使用される器具であり、大きく分けて上顎用と下顎用、全顎用と部分用などがある。
トレーを使った印象方法は、術者が印象用トレーにねり状の印象材を盛り付けた物を、圧力をかけて口腔内に挿入し、印象材の硬化まで数分保持した後出来た歯の陰型を口腔内よりトレーごと取出す方法である。トレーは、ただ単に印象材を硬化まで保持するだけの器具であり、印象材内部の圧力を減圧、又は、無圧化する事を可能とする物は無かった。
【先行技術文献】
【非特許文献】
【０００３】
Ｃｉメディカル  Ｎｏ．１１７    歯科カタログ    １０８から１１１頁  
【発明の概要】
【発明が解決しようとする課題】
【０００４】
これまで口腔内における印象法では、柔らかな口腔内粘膜面の印象材圧迫による状態の変化が有り、常に圧力をかけられた状態での粘膜の形状が、そのまま口腔内模型の形としてそのまま制作され、その型により作られた石膏模型を元に製作された義歯は、本来の形状と合わない不自然な義歯の粘膜面形状を与えられた。患者にとっては、その部分が合わない事による疼痛の発生が起きた。また、安定性の無い義歯を歯科医による調整や、義歯安定剤等を用いて誤魔化しながら使用せざるを得ない状況が延々と続いていた。
【０００５】
口腔内にトレーが存在する間は、より強い圧迫によって明瞭な印象が出来るとの術者による誤った知識から、無意識、又は、故意による不適切なトレーの圧迫や患者自身の歯牙による噛み込みによりトレーが圧迫され、結果として、印象材の硬化過程途中の変形や内部応力を持ったまま硬化した印象材によって、口腔内より取り出した時点で応力の開放による変形も起こるという、避けられない問題があった。その場合の印象により作られた口腔内石膏模型は見た感じでは正常に見えてしまうが、程度の差はあれ実際の歯の長さより長く出来てしまう場合が多く、その模型を基に製作されるクラウンブリッジの噛み合わせが高くなる、又は、合わない事の主要因であった。歯科医院内では人工歯の金属部分をガリガリ削って合わせるのが常であり、時間と資源の無駄使いが日常的に行われてきた。
【課題を解決するための手段】
【０００６】
そこで、本発明においては、その課題を解決する為、印象材の内部圧力を適切なタイミングで減圧、又は、無圧化すことが重要である。その手段として粘膜面変形を起こす原因である余分な印象材を早期に排出するための構造として、トレー本体１に印象材排出口２を設け、それを手動により開閉可能とする為の構造として、スライド式蓋部４を平行にスライド出来る様にガイドピン５とガイド用穴６を設け、スライド部つまみ５により手動開閉できる機構を印象用トレーに付加するものである。
【０００７】
無圧印象方法は、本発明のトレーを使用し、口腔内挿入後、直ちに余分な印象材排出の操作を行いトレー内部の圧力を除去し、その状態を維持したままトレーに余分な加圧をすることなく保持し、印象材排出口より排出された印象材にて硬化の確認を行いながら、硬化の確認が出来たらトレーを口腔内より取り出すものである。
【発明の効果】
【０００８】
義歯の適合制度精度が向上し、痛くない義歯、吸い付く様にフィット感の有る優れた義歯を製作できる。
【０００９】
実際の歯と寸法の差が極々少ない歯科模型を制作できる為、咬合調整やコンタクト調整の必要が無いクラウンブリッジが製作でき、チェァータイムの削減から、患者及び歯科医師等の負担軽減につながる。
【００１０】
余分な印象材の排出により、口腔内におけるトレーの保持が容易になる。
【００１１】
印象材排出口から排出された印象材が、硬化時期判断の確認に利用出来る。
【００１２】
無駄な調整を必要としない正確な適合を有する補綴物が出来ることから、その材料である貴重な貴金属資源の保護にも貢献し、保険で負担する歯科医療費の節約にも寄与するものである。
【図面の簡単な説明】
【００１３】
余分な印象材排出用の穴とスライド可動式の蓋を設けた場合の印象用トレー。
【図１】本発明のスライド式の蓋で印象材排出口を閉じている場合の斜視図である。
【図２】図１の断面図である。
【図３】スライド式蓋部を移動し印象材排出口を開けた場合の平面図である。
【図４】印象材排出口を閉じた場合の平面図である。
【発明を実施するための形態】
【００１４】
以下、本発明の実施の形態について図面を参照しつつ詳細に説明すれば、図１は、トレー本体１上部にスライド可能なスライド式蓋部３が乗っている図面であり、手動によりスライド部つまみ４によってスライド式蓋部３をスライド式蓋部の稼動方向７へ移動させ、印象材排出口２の開閉を出来るようにした。その開閉機構を構成するトレー本体から出ている２本のスライド用ガイドピン５は頭部が釘の頭の様に膨らんでおり、スライド式蓋部３に開けた横長のガイド用穴６を通り、スライド式蓋部３を外れない様に押さえると共に平行移動出来る構造を有する事でその手動による印象材排出機能を実現した。
【実施例１】
【００１５】
本特許申請においては、スライド式による印象材排出方法の為の構造であるが、スライド式蓋部３の一部をトレー本体１に抜き差しできる構造を追加することにより、開閉機構をガイドピンやスライド用穴を省略した着脱式蓋部にする事も可能である
【実施例２】
【００１６】
本特許申請においては、主に上顎用のトレーを例に図面を表記したが、下顎用トレーでも同様の構造で無圧トレーの実現が可能である。
【産業上の利用可能性】
【００１７】
一歯科医院内の歯科治療において最大の貢献は義歯調整と咬合調整時間の大幅な短縮であるが、その恩恵は患者及び歯科医師等の負担減少、歯科材料としての貴重な貴金属の削減にも寄与するものである。又、世界的に見ても、本発明と同様の機能を有するトレーは存在せず、また、同様の印象法も皆無であった。この無圧印象トレーの利用により世界的な歯科医療技術の更なる発展にも貢献する事が可能であるので、利用の可能性は多大である。
【符号の説明】
【００１８】
１  トレー本体
２  印象材排出口
３  スライド式蓋部
４  スライド部つまみ
５  ガイドピン
６  ガイド用穴
７  スライド式蓋部の稼動方向
【図１】
2012075775.tif 000003
【図２】
2012075775.tif 000004
【図３】
2012075775.tif 000005
【図４】
2012075775.tif 000006